(57)【特許請求の範囲】
【請求項１】
複数のグループに区分されかつ画像番号が各々に割り当てられた複数の画像を記録媒体から再生する画像再生装置であって、
所定キーが操作状態のとき注目画像番号を更新する更新手段、
前記更新手段によって更新された注目画像番号をモニタ画面に表示する第１表示手段、および
前記更新手段によって更新された注目画像番号に対応する画像を前記モニタ画面に表示する第２表示手段を備え、
キー操作態様に応じて前記第２表示手段をオン／オフし、前記第２表示手段がオフ状態のときグループを識別するためのグループ情報を前記第１表示手段によって表示される注目画像番号に関連して前記モニタ画面に表示するようにし、前記第２表示手段は、前記所定キーの操作状態が継続するときオフされ、前記所定キーの操作状態が解除されたときオンされる、画像再生装置。
【請求項２】
前記複数の画像の各々は圧縮状態で前記記録媒体に記録され、前記第２表示手段は表示すべき画像を伸張する伸張手段を含む、請求項１記載の画像再生装置。
【請求項３】
前記グループ情報はグループによって異なる色を含む、請求項１または２に記載の画像再生装置。
【請求項４】
前記グループ情報はグループによって異なるマークを含む、請求項１ないし３に記載のいずれかの画像再生装置。
【発明の詳細な説明】
【技術分野】
【０００１】
この発明は、画像再生装置に関し、特にたとえばディジタルカメラに適用され、記録媒体から再生された画像をモニタ画面に表示する再生画像表示モードと再生画像に関連するキャラクタのみをモニタ画面に表示するキャラクタ表示モードとを有する、画像再生装置に関する。
【背景技術】
【０００２】
ディジタルカメラには、画面に１つの再生画像を表示する単一画像再生モード（ノーマル再生モード）と、画面を形成する複数の分割画面に複数の再生画像をそれぞれ表示する複数画像再生モード（マルチ再生モード）とが設けられている。
【０００３】
マルチ再生モードでは、記録媒体から読み出されかつ伸長された９つの画像信号が、図５に示す要領でモニタ画面に表示される。つまり、モニタ画面が９つに分割され、伸長された画像信号に基づく縮小画像が各々の分割画面に表示される。各々の縮小画像には画像番号が付され、さらに選択マーク（カーソル）がいずれかの縮小画像を指向する。
【０００４】
選択マークは、十字キー（図示せず）の操作に応答して１分割画面ずつまたは９分割画面ずつ移動する。このとき、記録媒体からの圧縮画像信号の読み出し処理、および読み出された圧縮画像信号の伸長処理が必要に応じて実行され、これによってモニタ画面の表示が更新される。
【０００５】
選択マークが所望の画像を指向している状態でセットキー（図示せず）が押されると、所望の画像がモニタに全画面表示される。つまり、再生モードが所望の画像を含む９つの画像のマルチ再生から所望の画像のノーマル再生に切り換えられる。なお、選択マークや画番号は、設定によりモニタ画面から消去することができる。
【発明の開示】
【発明が解決しようとする課題】
【０００６】
しかし、従来技術では、マルチ再生モードにおいてモニタ画面を更新するときは、記録媒体からの圧縮画像信号の読み出しおよび当該圧縮画像信号の伸長が必要であるため、画面送りによる画像の検索に時間がかかるという問題がある。
【０００７】
それゆえに、この発明の主たる目的は、新規な画像再生装置を提供することである。
【０００８】
この発明の他の目的は、記録画像を迅速に検索することができる、画像再生装置を提供しようとするものである。
【課題を解決するための手段】
【０００９】
第１の発明は、複数のグループに区分されかつ画像番号が各々に割り当てられた複数の画像を記録媒体から再生する画像再生装置であって、所定キーが操作状態のとき注目画像番号を更新する更新手段、更新手段によって更新された注目画像番号をモニタ画面に表示する第１表示手段、および更新手段によって更新された注目画像番号に対応する画像をモニタ画面に表示する第２表示手段を備え、キー操作態様に応じて第２表示手段をオン／オフし、第２表示手段がオフ状態のときグループを識別するためのグループ情報を第１表示手段によって表示される注目画像番号に関連してモニタ画面に表示するようにし、第２表示手段は、前記所定キーの操作状態が継続するときオフされ、所定キーの操作状態が解除されたときオンされる、画像再生装置である。
【００１１】
第２の発明は、第１の発明に従属し、複数の画像の各々は圧縮状態で記録媒体に記録され、第２表示手段は表示すべき画像を伸張する伸張手段を含む、画像再生装置である。
【００１２】
第３の発明は、第１または第２の発明に従属し、グループ情報はグループによって異なる色を含む、画像再生装置である。
【００１３】
第４の発明は、第１ないし第３の発明のいずれかに従属し、グループ情報はグループによって異なるマークを含む、画像再生装置である。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、ディジタルカメラに内蔵されるこの実施例の画像再生装置１０は、操作キーとしてモード切換キー１９，セットキー２０および十字キー２１を有する。いずれかの操作キーが押圧されると、対応するキー状態信号が操作コントローラ１８からＣＰＵ１５に与えられる。
【００１７】
モード切換キー１９は、表示モードを切り換えるためのキーである。表示モードは、ノーマル再生モードとマルチ再生モードとに分類され、さらにノーマル再生モードおよびマルチ再生モードの各々が画像表示モードと関連情報表示モードとに分類される。モード切換キー１９が操作されると、マルチ再生モードに属する画像表示モード→ノーマル再生モードに属する画像表示モード→マルチ再生モードに属する関連情報表示モード→ノーマル再生モードに属する関連情報表示モード→マルチ再生モードに属する画像表示モード→…の順で循環的にモードが切り換えられる。
【００１８】
ノーマル再生モードに属する画像表示モードでは、所望画像とその画像番号とが、図３に示す要領でモニタ１７に表示される。ノーマル再生モードに属する関連情報表示モードでは、所望画像に対応する画像番号，撮影日付およびグループ名が、図４に示す要領でモニタ１７に表示される。このとき、所望画像は表示されない。
【００１９】
マルチ再生モードに属する画像表示モードでは、図５に示すように、９つの縮小画像がモニタ１７に分割表示され、画像番号が各々の縮小画像に付され、そして選択マークがいずれかの縮小画像を指向する。マルチ再生モードに属する関連情報表示モードでは、図６に示すように、９つの画像番号といずれか１つの画像番号を指向する選択マークとがモニタ１７に表示される。このとき、縮小画像は表示されない。
【００２０】
なお、記録媒体１６に記録された複数の圧縮画像信号は複数のグループに分類され、各々のグループにグループ名情報が割り当てられている。また、各々の圧縮画像信号には撮影日付情報および画像番号情報が割り当てられる。上述の画像番号，撮影日付およびグループ名は、このような画像番号情報，撮影日付情報および画像番号情報に基づいて表示される。画像番号情報，撮影日付情報およびグループ名情報を総称して画像関連情報と定義する。
【００２１】
また、十字キー２１は、ノーマル再生モードにおいて画面表示の更新を指示し、マルチ再生モードにおいて選択マークの移動および画面表示の更新を指示するためのキーである。ノーマル再生モードでは、十字キー２１の右方向への操作に応答して画面表示が順方向に更新され、十字キー２１の左方向への操作に応答して画面表示が逆方向に更新される。マルチ再生モードでは、十字キー２１の所望方向への操作に応答して選択マークが所望方向に移動する。画面表示は、選択マークの移動が不可能なときに行われる。
【００２２】
さらに、セットキー２０は、マルチ再生モードにおいて有効化され、現カーソル位置に対応する再生画像を全画面表示するためのキーである。したがって、表示モードは、セットキー２０の操作によってマルチ再生モードからノーマル再生モードに切り換えられる。
【００２３】
ノーマル再生モードに属する画像表示モードが選択されると、ＣＰＵ１５は、任意の圧縮主画像信号とこれに対応する画像関連情報を着脱自在の記録媒体１６から読み出し、読み出された圧縮主画像信号および画像関連情報をメモリ制御回路１３を通してＳＤＲＡＭ１２に書き込む。ＳＤＲＡＭ１２は図２に示すように画像関連情報エリア１２ａ，表示画像エリア１２ｂおよび圧縮画像エリア１２ｃを有し、圧縮主画像信号および画像関連情報は圧縮画像エリア１２ｃおよび画像関連情報エリア１２ａにそれぞれ書き込まれる。
【００２４】
ＣＰＵ１５はまた、ＪＰＥＧ伸長回路１１に伸長命令を与える。ＪＰＥＧ伸長回路１１は、圧縮画像エリア１２ｃに格納された圧縮主画像信号をメモリ制御回路１３を通して読み出し、読み出された圧縮主画像信号にＪＰＥＧ伸長を施し、そして伸長主画像信号をメモリ制御回路１３を通して表示画像エリア１２ｂに書き込む。
【００２５】
ビデオエンコーダ１４は、伸長主画像信号をメモリ制御回路１３を通して表示画像エリア１２ｂから読み出し、読み出された伸長主画像信号に基づいてＮＴＳＣフォーマットのコンポジット画像信号を生成し、そして生成されたコンポジット画像信号をモニタ１７に与える。また、ＣＰＵ１５は、画像関連情報に含まれる画像番号情報をメモリ制御回路１３を通して画像関連情報エリア１２ａから読み出し、読み出された画像番号情報に対応するキャラクタ信号の出力をキャラクタジェネレータ２２に命令する。これによって、所望の画像番号を示すキャラクタ信号がキャラクタジェネレータ２２からモニタ１７に与えられる。
【００２６】
モニタ１７には、コンポジット画像信号に基づく再生画像とキャラクタ信号に基づく画像番号とが図３に示す要領で表示される。図３によれば、再生画像が全面表示され、画面の右下に画像番号が表示される。
【００２７】
ノーマル再生モードに属する関連情報表示モードが選択されると、ＣＰＵ１５は任意の画像に対応する画像関連情報を記録媒体１６から読み出し、当該画像関連情報をメモリ制御回路１３を通してＳＤＲＡＭ１２の画像関連情報エリア１２ａに書き込む。ＣＰＵ１５は続いて、メモリ制御回路１３を通して画像関連情報エリア１２から画像番号情報，撮影日付情報およびグループ名情報を読み出し、読み出された画像番号情報，撮影日付情報およびグループ名情報に対応するキャラクタ信号の出力をキャラクタジェネレータ２２に命令する。キャラクタジェネレータ２２は、所望の画像番号，所望の撮影日付および所望のグループ名を示すキャラクタ信号をモニタ１７に出力する。
【００２８】
この結果、画像番号，撮影日付およびグループ名が図４に示す要領でモニタ１７に表示される。図４によれば、グループ名である“正月”と撮影日付である“２００１／１／１”とが画面中央に表示され、画像番号が画面右下に表示される。
【００２９】
なお、十字キー２１が右方向に操作されると今回の再生画像の次の画像について上述の処理が実行され、十字キー２１が左方向に操作されると今回の再生画像に先行する画像について上述の処理が実行される。これによって、画面表示が更新される。
【００３０】
マルチ再生モードに属する画像表示モードが選択されると、ＣＰＵ１５は、任意の圧縮縮小画像信号から始まる９つの圧縮縮小画像信号とこれらに対応する画像関連情報を記録媒体１６から読み出し、読み出された圧縮縮小画像信号および画像関連情報をメモリ制御回路１３を通してＳＤＲＡＭ１２の圧縮画像エリア１２ｃおよび画像関連情報エリア１２ａに書き込む。
【００３１】
ＣＰＵ１５は続いて、ＪＰＥＧ伸長回路１１に伸長命令を与える。ＪＰＥＧ伸長回路１１は、メモリ制御回路１３を通して圧縮画像エリア１２ｃから９つの圧縮縮小画像信号を読み出し、各々の圧縮縮小画像信号にＪＰＥＧ伸長を施し、そして伸長された各々の縮小画像信号をメモリ制御回路１３を通してＳＤＲＡＭ１２の表示画像エリア１２ｂに書き込む。
【００３２】
ビデオエンコーダ１４は、メモリ制御回路１３を通して表示画像エリア１２ｂから９つの縮小画像信号を読み出し、読み出された縮小画像信号に基づいてコンポジット画像信号を生成し、そして生成したコンポジット画像信号をモニタ１７に与える。ＣＰＵ１５は、メモリ制御回路１３を通して画像関連情報エリア１２ａから画像番号情報を読み出し、当該画像番号情報に対応するキャラクタ信号の出力をキャラクタジェネレータ２２に命令する。ＣＰＵ１５はさらに、いずれかの縮小画像を指向する選択マークのキャラクタ信号を出力するようキャラクタジェネレータ２２に命令を与える。キャラクタジェネレータ２２は９つの画像番号と選択マークとを示すキャラクタ信号を生成し、生成したキャラクタ信号をモニタ１７に与える。
【００３３】
これによって、コンポジット画像信号に基づく９つの縮小画像とキャラクタ信号に基づく９つの画像番号および選択マークとが図５に示す要領でモニタ１７に表示される。図５によれば、画面が９分割され、各々の分割画面に縮小画像が表示される。画像番号は各々の分割画面の右下に表示され、選択マークは画像番号が“００３”の縮小画像を指向する。
【００３４】
マルチ再生モードに属する関連情報表示モードが選択されると、ＣＰＵ１５は任意の画像から始まる９つの画像に対応する画像関連情報を記録媒体１６から読み出し、当該画像関連情報をメモリ制御回路１３を通してＳＤＲＡＭ１２の画像関連情報エリア１２ａに書き込む。ＣＰＵ１５は続いて、メモリ制御回路１３を通して画像関連情報エリア１２から画像番号情報を読み出し、当該画像番号情報に対応するキャラクタ信号の出力をキャラクタジェネレータ２２に命令する。ＣＰＵ１５はさらに、いずれかの画像番号を指向する選択マークのキャラクタ信号の出力をキャラクタジェネレータ２２に命令する。キャラクタジェネレータ２２は９つの画像番号と選択マークとを示すキャラクタ信号を生成し、生成したキャラクタ信号をモニタ１７に与える。
【００３５】
この結果、９つの画像番号が図６に示す要領でモニタ１７に表示される。図６によれば、画面が９分割され、各々の分割画面の右下に画像番号が表示される。選択マークは、画像番号“００３”を指向する。
【００３６】
なお、選択マークは、十字キー２１の操作に応答して画面上を移動する。選択マークを移動不可能な方向に移動させようとすると、画面表示が更新される。
【００３７】
マルチ再生モードが選択されたとき、ＣＰＵ１５は、図７〜図９に示すフロー図を処理する。なお、このフロー図に対応するプログラムは、ＲＯＭ２３に記憶されている。
【００３８】
まずステップＳ１で現在の表示モードを判別する。現在の表示モードが関連情報表示モードであれば、ステップＳ９でモードフラグＦｌａｇを“０”に設定してステップＳ７に進む。一方、現在の表示モードが画像表示モードであれば、ステップＳ３でモードフラグＦｌａｇを“１”に設定し、ステップＳ５で縮小画像の表示処理を行う。ステップＳ５の画像表示処理によって、９つの圧縮縮小画像信号が記録媒体１６から読み出され、読み出された各々の圧縮縮小画像信号がＪＰＥＧ伸長を施され、伸長された９つの縮小画像信号に基づく９つの縮小画像がモニタ１７に表示される。ステップＳ５の処理が完了すると、ステップＳ７に進む。
【００３９】
なお、最初に読み出す圧縮縮小画像信号は、ＥＥＰＲＯＭ２４に登録された表示開始番号に基づいて特定する。たとえば、登録された表示開始番号が“００１０”であれば、画像番号が“００１０”の圧縮縮小画像信号から始まる９つの縮小画像信号が記録媒体１６から読み出される。
【００４０】
ステップＳ７では、ステップＳ５で表示された９つの縮小画像に対応する画像関連情報の表示処理を行う。つまり、９つの縮小画像に対応する画像関連情報を記録媒体１６から読み出し、当該画像関連情報に含まれる画像番号情報に基づいてキャラクタジェネレータ２２を制御する。これによって、各々の縮小画像の右下に画像番号が表示される。続くステップＳ１１では、キャラクタジェネレータ２２を制御して、いずれかの縮小画像を指向する選択マークをモニタ１７に表示する。
【００４１】
なお、選択マークの表示位置は、ＥＥＰＲＯＭ２４に登録された画像選択番号に基づいて特定する。モニタ１７に形成される９つの分割画面には“１”〜“９”の位置番号が割り当てられる。このため、登録された画像選択番号が“７”であれば、位置番号が“７”の分割画面を指向するように選択マークが表示される。
【００４２】
ステップＳ１３では十字キー２１の操作の有無を判別し、ステップＳ１５ではセットキー２０の操作の有無を判別する。セットキー２０が操作されたときは、選択マークが指向する縮小画像に対応する主画像をモニタ１７に表示すべく、上階層のルーチンを経てノーマル再生モードに移行する。
【００４３】
十字キー２１が操作されたときは、選択マークが移動可能であるかどうかをステップＳ１７で判別する。移動可能であれば、ステップＳ１９で選択画像番号を更新してからステップＳ１１に戻る。この結果、選択マークが所望の方向に移動する。選択マークが移動不可能であれば、画像表示を更新するべくステップＳ２１以降の処理を実行する。
【００４４】
まずステップＳ２１で所定時間待機し、その後ステップＳ２３で十字キー２１がオン状態であるかどうか判断する。オン状態と判断されたときはステップＳ２５でフラグＢ＿ｌｏｎｇを“１”に設定してからステップＳ２９に進むが、オフ状態と判断されたときはステップＳ２７でフラグＢ＿ｌｏｎｇを“０”に設定してからステップＳ２９に進む。
【００４５】
ステップＳ２９では画面表示を消去し、続くステップＳ３１では表示開始番号および画像選択番号を更新する。画像表示を順方向に更新するときは、９つ先の圧縮縮小画像信号の画像番号が表示開始番号として設定され、画像表示を逆方向に更新するときは、９つ前の圧縮縮小画像信号の画像番号が表示開始番号として設定される。また、画像選択番号は“１”に設定される。
【００４６】
ステップＳ３３では、フラグＢ＿ｌｏｎｇの設定値を判別する。ここで設定値が“１”であれば、十字キー２１のオン状態は所定時間以上継続したとみなし、ステップＳ３５でフラグＦｌａｇの設定値を判別する。設定値が“０”であれば、つまり現在の表示モードが関連情報表示モードであれば、そのままステップＳ３９に進む。一方、設定値が“１”であれば、つまり現在の表示モードが画像表示モードであれば、ステップＳ３７でフラグＦｌａｇを“２”に設定してからステップＳ３９に進む。
【００４７】
ステップＳ３９では、ステップＳ７と同じ要領で画像関連情報を新たに表示する。これによって、更新された表示開始番号から始まる９つの圧縮画像信号の画像番号がモニタ１７に表示される。ステップＳ３９の処理を終えると、ステップＳ２３に戻る。したがって、十字キー２１が押され続けたときは、９つの画像番号のみが画面に表示され、この画像番号が定期的に更新される。このとき縮小画像の表示／更新は行われないため、画像番号は高速で更新される。
【００４８】
セットキー２１の押圧の解除によってフラグＢ＿ｌｏｎｇの設定値が“０”に変更されるが、あるいはフラグＢ＿ｌｏｎｇの設定値が当初から“０”であれば、ステップＳ３３でＮＯと判断し、ステップＳ４１およびＳ４３でフラグＦｌａｇの設定値を判別する。
【００４９】
設定値が“１”であれば、現在の表示モードは画像表示モードであると判断し、ステップＳ４７でステップＳ５と同じ要領で縮小画像をモニタ１７に表示し、ステップＳ４９でステップＳ７と同じ要領で画像関連情報をモニタ１７に表示する。これによって、更新された表示開始番号から始まる９つの縮小画像とその画像番号とが画面に表示される。ステップＳ４９の処理が完了すると、ステップＳ１１に戻る。
【００５０】
フラグＦｌａｇの設定値が“０”であれば、現在の表示モードは関連情報表示モードであると判断し、ステップＳ４３からステップＳ４９に進む。これによって、９つの画像番号のみがモニタ１７に表示される。
【００５１】
フラグＦｌａｇの設定値が“２”であれば、画像表示モードが選択されている状態でセットキー２１が押され続け、その後セットキー２１の押圧が解除されたと判断し、画像表示モードに戻るためにステップＳ４５でフラグＦｌａｇを“１”に設定する。ステップＳ４５の処理が完了すると、ステップＳ４７およびＳ４９で縮小画像および画像番号をモニタ１７に表示する。
【００５２】
以上の説明から分かるように、画像表示モードでは記録媒体１６から再生された画像がモニタ１７に表示され、関連情報表示モードでは当該画像に関連するキャラクタのみがモニタ１７に表示される。いずれの表示モードにおいても、モニタ画面は、十字キー２１の操作に応答して更新される。ＣＰＵ１５は、十字キー２１の操作態様を判別し、十字キー２１のオン状態が所定時間以上継続したときに関連情報表示モードを有効化する。関連情報表示モードでは記録媒体１６からの画像の再生が不要であるため、関連情報表示モードの有効化によって画面更新速度が高速化され、この結果、記録画像を迅速に検索することができる。
【００５３】
なお、この実施例では、マルチ再生モードに属する関連情報表示モードが選択されたとき、画像番号のみを表示するようにしているが、関連情報表示モードの下階層に画像番号モード，画像番号／撮影日時モードおよび画像番号／撮影日時／グループ名モードを設け、キー操作によっていずれかのモードを選択するようにしてもよい。画像番号モードが選択されたときは、この実施例と同様に画像番号のみが表示され、画像番号／撮影日時モードが選択されたときは、画像番号と撮影日時とが表示され、画像番号／撮影日時／グループ名モードが選択されたときは、画像番号，撮影日時およびグループ名が表示される。
【００５４】
また、この実施例では、画像表示モードにおいて再生画像とともに画像番号を表示するようにしているが、当該画像表示モードでは再生画像のみを表示するようにしてもよい。
【００５５】
さらに、この実施例では、マルチ再生モードにおける十字キーの操作によって高速の画面更新が実行されるが、ノーマル再生モードにおける十字キーの操作によって高速の画面更新を実行するようにしてもよい。この場合、十字キーの操作期間にわたってノーマル再生モードを維持して高速画面更新を実行する方法や、十字キーが所定期間以上押されたときにノーマル再生モードからマルチ再生モードに移行して高速の画面送りを実行し、十字キーの押圧が解除されたときにマルチ再生モードからノーマル再生モードに戻るような方法が考えられる。
【００５６】
また、この実施例では、十字キーが所定期間押圧されたときに高速画面更新を開始し、十字キーの押圧が解除されたときに高速画面更新を中断するようにしている。しかし、高速画面更新が開始された後は押圧の解除に関係なく高速画面更新を継続し、再度の十字キーの操作によって高速画面更新を中断するようにしてもよい。また、十字キーのダブルクリックによって高速画面更新を開始し、十字キーの再度のダブルクリックによって高速画面更新を中断するようにしてもよい。
【００５７】
さらに、この実施例では、マルチ再生モードに属する関連情報表示モードが選択されたとき、画像番号のみを表示するようにしているが、グループ毎にマークや背景色のような視覚識別情報を割り当て、グループによって異なるマークを画像番号とともに表示したり（図１０（Ａ）参照）、グループによって異なる背景色を画像番号とともに表示したり（図１０（Ｂ）参照）してもよい。これによって、高速画面更新時でもグループを容易に判別することができる。
【００５８】
ただし、この場合は、図１１に示すようなグループ情報テーブルを作成する必要がある。図１１によれば、各グループの先頭の画像番号であるグループ開始画像番号がテーブルに登録され、各々の画像番号にマークおよび背景色が割り当てられる。マルチ再生モードに属する関連情報表示モードが選択されると、このようなテーブルからマークまたは背景色が検出され、同じグループに属する画像番号の分割画面には同じマークまたは背景色が表示される。
【００５９】
なお、グループ分けは、撮影時に撮影日付情報に基づいて自動的に行ってもよく、手動で行ってもよい。自動的に行われたグループ分けを手動で変更できるようにすれば、操作性が向上する。
【００６０】
また、グループを識別するためにマークまたは背景色は、記録媒体内に形成されたグループの数だけ準備する必要はなく、少なくともモニタに形成される分割画面の数だけ準備すれば十分である。ただし、記録画像の削除または移動によって互いに異なるグループに割り当てられたマークまたは背景色が同じ画面上に出現すると、操作性が大きく低減する。このため、削除または移動のたびにマークまたは背景色を再度割り当てるようにした方がよい。
【００６１】
また、この実施例では、ＳＤＲＡＭに形成された表示画像エリアは図２に示すように形成され、現フレームの主画像信号または９フレームの縮小画像信号のみが当該表示画像エリアに格納される。しかし、図１２に示すように３フレームの主画像信号または２７フレームの縮小画像信号を格納できる容量を表示画像エリアに確保し、前フレームの主画像信号および次フレームの主画像信号、あるいは先行する９フレームの縮小画像信号および後続の９フレームの縮小画像信号も表示画像エリアに格納するようにしてもよい。これによって、画像表示モードにおける画面の更新を高速化できる。
【図面の簡単な説明】
【００６２】
【図１】図１はこの発明の１実施例の画像再生装置のブロック図である。
【図２】図２は図１実施例に設けられたＳＤＲＡＭのマッピング状態を示す図解図である。
【図３】図３はノーマル再生モードに属する画像表示モードおいてモニタに表示される画像の一例を示す図解図である。
【図４】図４はノーマル再生モードに属する関連情報表示モードおいてモニタに表示される画像の一例を示す図解図である。
【図５】図５はマルチ再生モードに属する画像表示モードおいてモニタに表示される画像の一例を示す図解図である。
【図６】図６はマルチ再生モードに属する関連情報表示モードおいてモニタに表示される画像の一例を示す図解図である。
【図７】図７はマルチ再生モードにおける図１実施例の動作の一部を示すフロー図である。
【図８】図８はマルチ再生モードにおける図１実施例の動作の他の一部を示すフロー図である。
【図９】図９はマルチ再生モードにおいて複数の画像を表示したモニタ画面の一例を示す図解図である。
【図１０】図１０（Ａ）はマルチ再生モードに属する関連情報表示モードおいてモニタに表示される画像の他の一例を示す図解図であり、図１０（Ｂ）はマルチ再生モードに属する関連情報表示モードおいてモニタに表示される画像のその他の一例を示す図解図である。
【図１１】図１１はグループ情報テーブルの一例を示す図解図である。
【符号の説明】
【００６３】
１０  …画像再生装置
１５  …ＣＰＵ
１６  …記録媒体
１７  …モニタ
１９  …切換キー
２１  …十字キー
【図１】
0004297688.tif 000002
【図２】
0004297688.tif 000003
【図３】
0004297688.tif 000004
【図４】
0004297688.tif 000005
【図５】
0004297688.tif 000006
【図６】
0004297688.tif 000007
【図７】
0004297688.tif 000008
【図８】
0004297688.tif 000009
【図９】
0004297688.tif 000010
【図１０（Ａ）】
0004297688.tif 000011
【図１０（Ｂ）】
0004297688.tif 000012
【図１１】
0004297688.tif 000013
【図１２】
0004297688.tif 000014